【手続補正書】
【提出日】平成22年12月8日(2010.12.8)
【手続補正１】
【補正対象書類名】明細書
【補正対象項目名】００２２
【補正方法】変更
【補正の内容】
【００２２】
本発明は、以下に示す有機ＥＬ発光装置に関する。
［１］２以上の画素領域が一列に配列された発色領域を有する基板と、前記発色領域を規定し、互いに対向するライン状かつ順テーパ状の主バンクと、前記発色領域において前記画素領域間に配置された画素分離領域と、前記画素領域毎に配置された画素電極と、前記画素電極上に配置された有機機能層と、前記有機機能層上に配置された、共通電極と、を有する有機ＥＬ発光装置であって、前記画素分離領域には、補助バンクと、前記画素領域同士を連通する溝と、が配置され、前記発色領域において連続する３つの前記画素領域を、第１画素領域、第２画素領域、第３画素領域とし、前記第１画素領域と、前記第２画素領域との間の画素分離領域を、画素分離領域Ａとし、前記第２画素領域と、前記第３画素領域との間の画素分離領域を、画素分離領域Ｂとしたとき、前記画素分離領域Ａに配置された溝の前記第２画素領域側の端部を、前記第１画素領域側から前記第２画素領域側に、前記主バンクのライン方向に沿って投射すると、前記端部の投象は、前記画素分離領域Ｂに配置された前記補助バンクに遮蔽される、有機ＥＬ発光装置。
［２］前記画素電極と接続されたソース電極またはドレイン電極を有する薄膜トランジスタをさらに有する、［１］に記載の有機ＥＬ発光装置。
［３］それぞれの前記画素分離領域には、一つの補助バンクが配置され、前記画素分離領域Ａに配置された補助バンクは、前記対向する主バンクの一方にのみ接続し、前記画素分離領域Ｂに配置された補助バンクは、前記対向する主バンクの他方にのみ接続し、それぞれの画素分離領域に配置された前記補助バンクの前記ライン方向に垂直方向の長さは、前記発色領域の短軸方向の長さの１／２以上である、［１］または［２］に記載の有機ＥＬ発光装置。
［４］それぞれの前記画素分離領域には、第１補助バンクおよび第２補助バンクが配置され、前記第１補助バンクは、前記対向する主バンクの一方にのみ接続し、前記第２補助バンクは、前記対向する主バンクの他方にのみ接続し、前記第１補助バンクの前記ライン方向の位置と、第２補助バンクの前記ライン方向の位置とは異なり、前記第１補助バンクおよび前記第２補助バンクの前記ライン方向に垂直方向の長さは、前記発色領域の短軸方向の長さの１／２以上である、［１］または［２］に記載の有機ＥＬ発光装置。
［５］それぞれの前記画素分離領域には、第１補助バンク、第２補助バンクおよび第３補助バンクが配置され、前記第１補助バンクは、前記対向する主バンクの一方にのみ接続し、前記第２補助バンクは、前記対向する主バンクの他方にのみ接続し、前記第１補助バンクと第２補助バンクとは、互いに対向し、前記第１補助バンクと、前記第２補助バンクとの間には前記溝が配置され、前記第３補助バンクの前記ライン方向の位置は、前記第１補助バンクおよび第２補助バンクの前記ライン方向の位置と異なり、前記第３補助バンクの前記ライン方向に垂直方向の位置は、前記第１補助バンクと前記第２補助バンクとの間に配置された前記溝の位置と重なる、［１］または［２］に記載の有機ＥＬ発光装置。
［６］前記補助バンクの高さは、前記主バンクの高さの０．０５〜１．０倍である、［１］〜［５］のいずれか一つに記載の有機ＥＬ発光装置。
［７］前記画素電極と前記有機機能層との間には正孔注入層が配置され、前記正孔注入層の材料は遷移金属の酸化物である、［１］〜［６］のいずれか一つに記載の有機ＥＬ発光装置。
［８］前記遷移金属の酸化物は、ＷＯｘ、ＭｏＯｘ、ＴｉＯ２、ＮｉＯ、Ｖ２Ｏ５またはＲｕＯ２から選択される、［７］に記載の有機ＥＬ発光装置。
【手続補正２】
【補正対象書類名】特許請求の範囲
【補正対象項目名】全文
【補正方法】変更
【補正の内容】
【特許請求の範囲】
【請求項１】
２以上の画素領域が一列に配列された発色領域を有する基板と、
前記発色領域を規定し、互いに対向するライン状かつ順テーパ状の主バンクと、
前記発色領域において前記画素領域間に配置された画素分離領域と、
前記画素領域毎に配置された画素電極と、
前記画素電極上に配置された有機機能層と、
前記有機機能層上に配置された、共通電極と、
を有する有機ＥＬ発光装置であって、
前記画素分離領域には、補助バンクと、前記画素領域同士を連通する溝と、が配置され、
前記発色領域において連続する３つの前記画素領域を、第１画素領域、第２画素領域、第３画素領域とし、
前記第１画素領域と、前記第２画素領域との間の画素分離領域を、画素分離領域Ａとし、
前記第２画素領域と、前記第３画素領域との間の画素分離領域を、画素分離領域Ｂとしたとき、
前記画素分離領域Ａに配置された溝の前記第２画素領域側の端部を、前記第１画素領域側から前記第２画素領域側に、前記主バンクのライン方向に沿って投射すると、前記端部の投象は、前記画素分離領域Ｂに配置された前記補助バンクに遮蔽される、有機ＥＬ発光装置。
【請求項２】
前記画素電極と接続されたソース電極またはドレイン電極を有する薄膜トランジスタをさらに有する、請求項１に記載の有機ＥＬ発光装置。
【請求項３】
それぞれの前記画素分離領域には、一つの補助バンクが配置され、
前記画素分離領域Ａに配置された補助バンクは、前記対向する主バンクの一方にのみ接続し、前記画素分離領域Ｂに配置された補助バンクは、前記対向する主バンクの他方にのみ接続し、
それぞれの画素分離領域に配置された前記補助バンクの前記ライン方向に垂直方向の長さは、前記発色領域の短軸方向の長さの１／２以上である、請求項１に記載の有機ＥＬ発光装置。
【請求項４】
それぞれの前記画素分離領域には、第１補助バンクおよび第２補助バンクが配置され、
前記第１補助バンクは、前記対向する主バンクの一方にのみ接続し、前記第２補助バンクは、前記対向する主バンクの他方にのみ接続し、
前記第１補助バンクの前記ライン方向の位置と、第２補助バンクの前記ライン方向の位置とは異なり、
前記第１補助バンクおよび前記第２補助バンクの前記ライン方向に垂直方向の長さは、前記発色領域の短軸方向の長さの１／２以上である、請求項１に記載の有機ＥＬ発光装置。
【請求項５】
それぞれの前記画素分離領域には、第１補助バンク、第２補助バンクおよび第３補助バンクが配置され、
前記第１補助バンクは、前記対向する主バンクの一方にのみ接続し、前記第２補助バンクは、前記対向する主バンクの他方にのみ接続し、
前記第１補助バンクと第２補助バンクとは、互いに対向し、
前記第１補助バンクと、前記第２補助バンクとの間には前記溝が配置され、
前記第３補助バンクの前記ライン方向の位置は、前記第１補助バンクおよび第２補助バンクの前記ライン方向の位置と異なり、
前記第３補助バンクの前記ライン方向に垂直方向の位置は、前記第１補助バンクと前記第２補助バンクとの間に配置された前記溝の位置と重なる、請求項１に記載の有機ＥＬ発光装置。
【請求項６】
前記補助バンクの高さは、前記主バンクの高さの０．０５〜１．０倍である、請求項１に記載の有機ＥＬ発光装置。
【請求項７】
前記画素電極と前記有機機能層との間には正孔注入層が配置され、
前記正孔注入層の材料は遷移金属の酸化物である、請求項１に記載の有機ＥＬ発光装置。
【請求項８】
前記遷移金属の酸化物は、ＷＯｘ、ＭｏＯｘ、ＴｉＯ２、ＮｉＯ、Ｖ２Ｏ５またはＲｕＯ２から選択される、請求項７に記載の有機ＥＬ発光装置。